(57)【要約】    【課題】      互いに異なる周期又はタイミングで電力レベルが遷移する複数のチャネルを符号分割多重した信号について、その電力レベルを正確に測定して、所望の電力レベルに精度良く増幅することのできる電力制御装置、無線通信装置及び電力制御方法を提供すること。    【解決手段】  レベル補正部１０２は、利得生成部１１２によって生成された利得（第２の利得）を用いて検波器１０１から入力されてくる電力レベル信号を補正し、補正後の電力レベル信号を平均化部１０３に入力する。  【選択図】      図１
2005130306.tif 000002
【特許請求の範囲】
【請求項１】
入力信号を第１の利得で増幅し、増幅された前記入力信号に基づいて前記第１の利得をフィードバック調節する電力制御装置であって、
増幅された前記入力信号を分配する分配器と、
分配された前記入力信号の電力レベルを示す電力レベル信号を生成する検波器と、
分配された前記入力信号の前記電力レベルの情報に基づいて前記電力レベルが遷移する前後での差を算出し、算出された前記差を縮小させる第２の利得を生成する利得生成手段と、
生成された前記第２の利得で前記電力レベル信号の前記電力レベルを補正するレベル補正手段と、
レベル補正された前記電力レベル信号の平均値を算出する平均化手段と、
基準レベルから前記平均化手段によって算出された前記平均値を減算する減算手段と、
前記減算手段によって算出された差を前記基準レベルに加算する加算手段と、
前記加算手段によって算出された利得制御値に応じて前記第１の利得を調節する利得可変手段と、
を具備することを特徴とする電力制御装置。
【請求項２】
入力信号を第１の利得で増幅し、増幅された前記入力信号に基づいて前記第１の利得をフィードバック調節する電力制御装置であって、
増幅された前記入力信号を分配する分配器と、
分配された前記入力信号の電力レベルを示す電力レベル信号を生成する検波器と、
分配された前記入力信号の前記電力レベルの情報に基づいて前記電力レベルが遷移する前後での差を算出し、算出された前記差を縮小させる第２の利得を生成する利得生成手段と、
生成された前記第２の利得で前記電力レベル信号の前記電力レベルを補正するレベル補正手段と、
基準レベルからレベル補正された前記電力レベルを減算する減算手段と、
前記電力レベルを減算された前記基準レベルの平均値を算出する平均化手段と、
算出された前記平均値を前記基準レベルに加算する加算手段と、
前記加算手段によって算出された利得制御値に応じて第１の利得を調節する利得可変手段と、
を具備することを特徴とする電力制御装置。
【請求項３】
請求項１又は請求項２記載の電力制御装置を具備することを特徴とする無線通信装置。
【請求項４】
入力信号を第１の利得で増幅し、増幅された前記入力信号に基づいて前記第１の利得をフィードバック調節する電力制御方法であって、
増幅された前記入力信号を分配する分配ステップと、
分配された前記入力信号の電力レベルを示す電力レベル信号を生成する検波ステップと、
分配された前記入力信号の前記電力レベルの情報に基づいて前記電力レベルが遷移する前後での差を算出し、算出された前記差を縮小させる第２の利得を生成する利得生成ステップと、
生成された前記第２の利得で前記電力レベル信号の前記電力レベルを補正するレベル補正ステップと、
レベル補正された前記電力レベル信号の平均値を算出する平均化ステップと、
基準レベルから前記平均化ステップで算出された前記平均値を減算する減算ステップと、
前記減算ステップで算出された差を前記基準レベルに加算する加算ステップと、
前記加算ステップで算出された利得制御値に応じて前記第１の利得を調節する利得可変ステップと、
を具備することを特徴とする電力制御方法。
【発明の詳細な説明】
【技術分野】
【０００１】
本発明は、無線通信システムで使用される基地局乃至移動局等を構成する無線通信装置、この無線通信装置に具備される電力制御装置、並びにこの無線通信装置で実施される電力制御方法に関する。
【背景技術】
【０００２】
従来、無線通信システムで使用される無線通信装置には、例えば送信信号の電力レベルを所定範囲に保つため、電力制御装置が内蔵される。また、この電力制御装置には、送信信号の電力レベルを測定するための電力測定装置が内蔵される（特許文献１参照）。
【０００３】
図４は、従来の一般的な電力測定装置１０の構成を示すブロック図である。電力測定装置１０は、信号入力端子１１、検波器１２、平均化部１３、測定結果出力端子１４、平均化開始タイミング信号入力端子１５及び平均化時間設定入力端子１６を具備する。
【０００４】
図５に、電力測定装置１０をスロット毎に電力レベルが変化する無線通信システムに適用した場合における信号入力端子１１に入力されるチャネルＡのスロット毎の信号電力について、その電力レベル等を示す。図５におけるラインＬ２１はチャネルＡのスロット構成、ラインＬ２２はスロット間の境界が到来したことを通知するスロット同期信号、ラインＬ２３はスロット毎の電力レベルを示す。また、ラインＬ２１にはチャネルＡのスロット番号ａi、ａi+1及びａi+2及びスロット長Ｔslotを、ラインＬ２３には電力レベルの平均値を算出するための電力平均化時間ＴＳと電力平均化時間ＴＳでの電力量（図中斜線部）とを示す。
【０００５】
次いで、電力測定装置１０の動作について、図４及び図５を適宜参照しつつ説明する。信号入力端子１１に入力された信号は、検波器１２によってその電力レベルを表す電圧等の信号に変換される。続いて、電圧等に変換後の電力レベル信号は、平均化部１３において、平均化開始タイミング信号入力端子１５から入力されてくるラインＬ２２に示すスロット同期信号に同期して平均化処理を施され、平均化時間設定入力端子１６から入力されてくる電力平均化時間Ｔｓについての電力平均値に換算されて測定結果出力端子１４から出力される。
【特許文献１】特公平６−９１３９８号公報
【発明の開示】
【発明が解決しようとする課題】
【０００６】
しかしながら、従来の電力測定装置１０では、互いに異なる周期又はタイミングで電力レベルが変化する複数のチャネルを符号分割多重した信号については、その電力レベルを正確に測定することが困難になる場合がある。図６に、電力レベルの変化するタイミングが互いに異なる複数のチャネルを符号分割多重した信号について、その電力レベル等を示す。図６におけるラインＬ３１はチャネルＡのスロット構成を、ラインＬ３２はチャネルＢのスロット構成を、ラインＬ３３はチャネルＡのスロット同期信号を、ラインＬ３４はチャネルＡとチャネルＢとを符号分割多重した信号の電力レベル即ち総信号電力レベルを、をそれぞれ示す。また、ラインＬ３１にチャネルＡのスロット番号ａi、ａi+1、ａi+2を、ラインＬ３２にチャネルＢのスロット番号ｂj、ｂj+1、ｂj+2を、ラインＬ３４に電力平均化時間ＴＳをそれぞれ示す。また、図６において、ＴslotはチャネルＡ及びチャネルＢのスロット長を、ＴdiffはチャネルＡとチャネルＢとのスロット間の境界のずれ時間を示す。
【０００７】
チャネルＡとチャネルＢとのスロット間の境界のずれ時間Ｔdiffでは、総信号電力レベルが遷移するため、スロット間の境界のずれ時間Ｔdiffと電力平均化時間Ｔｓとが重畳すると、総信号電力レベルも当然変化することから、総信号電力レベルの正確な測定が困難となる。
【０００８】
本発明はかかる点に鑑みてなされたものであり、互いに異なる周期又はタイミングで電力レベルが遷移する複数のチャネルを符号分割多重した信号について、その電力レベルを正確に測定して、所望の電力レベルに精度良く増幅することのできる電力制御装置、無線通信装置及び電力制御方法を提供することを目的とする。
【課題を解決するための手段】
【０００９】
本発明に係る電力制御装置は、入力信号を第１の利得で増幅し、増幅された前記入力信号に基づいて前記第１の利得をフィードバック調節する電力制御装置であって、増幅された前記入力信号を分配する分配器と、分配された前記入力信号の電力レベルを示す電力レベル信号を生成する検波器と、分配された前記入力信号の前記電力レベルの情報に基づいて前記電力レベルが遷移する前後での差を算出し、算出された前記差を縮小させる第２の利得を生成する利得生成手段と、生成された前記第２の利得で前記電力レベル信号の前記電力レベルを補正するレベル補正手段と、レベル補正された前記電力レベル信号の平均値を算出する平均化手段と、基準レベルから前記平均化手段によって算出された前記平均値を減算する減算手段と、前記減算手段によって算出された差を前記基準レベルに加算する加算手段と、前記加算手段によって算出された利得制御値に応じて前記第１の利得を調節する利得可変手段と、を具備する構成を採る。
【００１０】
この構成によれば、入力信号の電力レベルが遷移してもその遷移の前後での差がレベル補正手段によって縮小された後にその電力レベルの平均化処理が開始されるため、その電力レベルを正確に測定することができ、その結果入力信号を所望の電力レベルに精度良く増幅することができる。
【００１１】
本発明に係る電力制御装置は、入力信号を第１の利得で増幅し、増幅された前記入力信号に基づいて前記第１の利得をフィードバック調節する電力制御装置であって、増幅された前記入力信号を分配する分配器と、分配された前記入力信号の電力レベルを示す電力レベル信号を生成する検波器と、分配された前記入力信号の前記電力レベルの情報に基づいて前記電力レベルが遷移する前後での差を算出し、算出された前記差を縮小させる第２の利得を生成する利得生成手段と、生成された前記第２の利得で前記電力レベル信号の前記電力レベルを補正するレベル補正手段と、基準レベルからレベル補正された前記電力レベルを減算する減算手段と、前記電力レベルを減算された前記基準レベルの平均値を算出する平均化手段と、算出された前記平均値を前記基準レベルに加算する加算手段と、前記加算手段によって算出された利得制御値に応じて第１の利得を調節する利得可変手段と、を具備する構成を採る。
【００１２】
この構成によれば、平均化手段において電力レベル信号と基準レベルとの差が平均化されるため、入力信号の電力レベルの変化に影響されることなく、入力信号を所望の利得で精度良く増幅することができる。
【００１３】
本発明に係る無線通信装置は、前記発明に係る電力制御装置を具備する構成を採る。
【００１４】
この構成によれば、前記発明に係る電力制御装置が無線通信装置に具備されるため、入力信号の電力レベルがその測定期間中に遷移する場合でも、その電力レベルを正確に測定でき、その結果高い通信品質を享受することができる。
【００１５】
本発明に係る電力制御方法は、入力信号を第１の利得で増幅し、増幅された前記入力信号に基づいて前記第１の利得をフィードバック調節する電力制御方法であって、増幅された前記入力信号を分配する分配ステップと、分配された前記入力信号の電力レベルを示す電力レベル信号を生成する検波ステップと、分配された前記入力信号の前記電力レベルの情報に基づいて前記電力レベルが遷移する前後での差を算出し、算出された前記差を縮小させる第２の利得を生成する利得生成ステップと、生成された前記第２の利得で前記電力レベル信号の前記電力レベルを補正するレベル補正ステップと、レベル補正された前記電力レベル信号の平均値を算出する平均化ステップと、基準レベルから前記平均化ステップで算出された前記平均値を減算する減算ステップと、前記減算ステップで算出された差を前記基準レベルに加算する加算ステップと、前記加算ステップで算出された利得制御値に応じて前記第１の利得を調節する利得可変ステップと、を具備するようにした。
【００１６】
この方法によれば、入力信号の電力レベルが遷移してもその遷移の前後での差がレベル補正ステップで縮小された後にその電力レベルの平均化処理が開始されるため、その電力レベルを正確に測定することができ、その結果入力信号を所望の電力レベルに精度良く増幅することができる。
【発明の効果】
【００１７】
本発明によれば、入力信号の電力レベルが遷移してもその遷移の前後での差がレベル補正手段によって縮小された後にその電力レベルの平均化処理が開始されるため、その電力レベルを正確に測定することができ、その結果入力信号を所望の電力レベルに精度良く増幅することができる。
【発明を実施するための最良の形態】
【００１８】
本発明の骨子は、電力レベルの遷移する周期又はタイミングが互いに異なる複数のチャネルを多重した信号について、その電力レベルが遷移する前後での電力レベルの差を縮小させた後にその電力レベルを平均化することである。
【００１９】
以下、本発明の実施の形態について、適宜図を参照しながら詳細に説明する。
【００２０】
（実施の形態１）
図１は、本発明の実施の形態１に係る電力制御装置１００の構成を示すブロック図である。電力制御装置１００は、検波器１０１、レベル補正部１０２、平均化部１０３、平均化時間設定入力端子１０８、利得生成部１１２、平均化開始タイミング信号入力端子１１３、電力情報入力端子１１４、信号入力端子１８１、利得可変部１８２、分配器１８３、信号出力端子１８４、減算部１８５、ローパスフィルタ（ＬＰＦ）１８６、加算部１８７及び基準レベル入力端子１８８を具備する。
【００２１】
検波器１０１は、分配器１８３から入力されてくる分配された入力信号の電力レベルを電圧に変換して、変換後の電力レベル信号をレベル補正部１０２に入力する。
【００２２】
レベル補正部１０２は、利得生成部１１２によって生成された利得（第２の利得）を用いて検波器１０１から入力されてくる電力レベル信号を補正し、補正後の電力レベル信号を平均化部１０３に入力する。
【００２３】
平均化部１０３は、平均化開始タイミング信号入力端子１１３から平均化開始タイミング信号例えばスロット同期信号が入力されてきた時に、レベル補正部１０２で補正された電力レベル信号の電力レベルを測定し始める。また、平均化部１０３は、平均化時間設定入力端子１０８を介して通知される電力平均化時間ＴＳの間、その測定値を蓄積して、電力平均化時間ＴＳの経過後に速やかにその電力レベルの区間平均値を算出する。そして、平均化部１０３は、算出された電力レベルの区間平均値を減算部１８５に入力する。
【００２４】
利得生成部１１２は、信号入力端子１８１に入力される電力レベルの遷移するタイミングが互いに異なる複数のチャネルが符号分割多重された入力信号について、平均化開始タイミング信号入力端子１１３から入力されてくる各チャネルのチャネル同期信号と、電力情報入力端子１１４から入力されてくる各チャネルの電力レベルの情報と、に基づいて、レベル補正部１０２で使用される利得（第２の利得）を生成し、生成された利得をレベル補正部１０２に提供する。なお、利得生成部１１２における利得の具体的な生成手順については後述する。
【００２５】
利得可変部１８２は、加算部１８７から出力される利得制御値に応じて利得（第１の利得）を適宜調節し、調節された利得で信号入力端子１８１からの入力信号を増幅する。また、利得可変部１８２は、増幅された入力信号を分配器１８３に入力する。
【００２６】
分配器１８３は、利得可変部１８２から入力されてくる増幅後の入力信号を分配して、分配された入力信号を検波器１０１に入力すると伴に、信号出力端子１８４に出力する。
【００２７】
減算部１８５は、基準レベル入力端子１８８を介して入力されてくる基準レベルから平均化部１０３によって算出された電力レベルの区間平均値を減算して、その減算による差をローパスフィルタ１８６に入力する。
【００２８】
ローパスフィルタ１８６は、減算部１８５から加算部１８７に入力される減算による差が急激に変動することを抑制する。
【００２９】
加算部１８７は、ローパスフィルタ１８６を介して入力されてくる減算部１８５での減算による差を、基準レベル入力端子１８８を介して入力されてくる基準レベルに加算し、その加算値即ち利得制御値を利得可変部１８２に入力する。
【００３０】
図２に、電力レベルの遷移するタイミングが互いに異なる３つのチャネルＡ、Ｂ及びＣについて、各チャネルのスロット毎の電力レベル等を示す。図２において、ラインＬ２０１はチャネルＡのスロット構成を、ラインＬ２０２はチャネルＢのスロット構成を、ラインＬ２０３はチャネルＣのスロット構成を、ラインＬ２０４はチャネルＡのスロット同期信号を、ラインＬ２０５はチャネルＢのスロット同期信号を、ラインＬ２０６はチャネルＣのスロット同期信号を、ラインＬ２０７はチャネルＡのスロット毎の電力レベルを、ラインＬ２０８はチャネルＢのスロット毎の電力レベルを、ラインＬ２０９はチャネルＣのスロット毎の電力レベルを、ラインＬ２１０はチャネルＡ、チャネルＢ及びチャネルＣを符号分割多重した総信号についての所望の電力レベルを、ラインＬ２１１は総信号について測定された電力レベルを、ラインＬ２１２はレベル補正部１０２で使用される補正量即ち利得（第２の利得）を、ラインＬ２１３はレベル補正部１０２で補正された総信号電力レベルを、それぞれ示す。
【００３１】
また、図２において、ラインＬ２０１にはチャネルＡのスロット番号ａi、ａi+1、ａi+2を、ラインＬ２０２にはチャネルＢのスロット番号ｂｊ、ｂｊ+1、ｂｊ+2を、ラインＬ２０３にはチャネルＣのスロット番号ｃk、ｃk+1、ｃk+2を、ラインＬ２０７にはチャネルＡの電力レベルｐa,i、ｐa,i+1、ｐa,i+2を、ラインＬ２０８にはチャネルＣの電力レベルｐb,j、ｐb,j+1、ｐb,j+2を、ラインＬ２０９にはチャネルＣのスロット毎の電力レベルｐc,k、ｐc,k+1、ｐc,k+2を、ラインＬ２１０には総信号の所望の電力レベルについて遷移による電力レベルｐall,i,j,k、ｐall,i,j+1,k、ｐall,i,j+1,k+1、ｐall,i+1,j+1,k+1、ｐall,i+1,j+2,k+1、ｐall,i+1,j+2,k+2、ｐall,i+2,j+2,k+2を、ラインＬ２１１には測定された総信号の電力レベルｑall,i,j,k、ｑall,i,j+1,k、ｑall,i,j+1,k+1、ｑall,i+1,j+1,k+1、ｑall,i+1,j+2,k+1、ｑall,i+1,j+2,k+2、ｑall,i+2,j+2,k+2を、ラインＬ２１２にはラインＬ２１１の電力レベルが遷移する前後での電力レベルの差を縮小させるための利得(第２の利得）ｃi,j,k、ｃi,j+1,k、ｃi,j+1,k+1、ｃi+1,j+1,k+1、ｃi+1,j+2,k+1、ｃi+1,j+2,k+2、ｃi+2,j+2,k+2を、ラインＬ２１３にはラインＬ２１２の利得で補正されたラインＬ２１１の電力レベルｒi,j,k、ｒi,j+1,k、ｒi,j+1,k+1、ｒi+1,j+1,k+1、ｒi+1,j+2,k+1、ｒi+1,j+2,k+2、ｒi+2,j+2,k+2を、それぞれ示す。
【００３２】
次いで、電力制御装置１００の動作について、図１及び図２を参照しつつ説明する。信号入力端子１８１に入力された複数のチャネルが符号分割多重された入力信号は、利得可変部１８２において加算部１８７から出力される利得制御値に応じて調節された利得（第１の利得）で増幅され、続いて分配器１８３において分岐される。そして、分配器１８３で分岐された入力信号の一方は、信号出力端子１８４に出力され、もう一方は電力測定装置１００の検波器１０１に入力される。検波器１０１に入力された入力信号は、その電圧を表す電力レベル信号に変換され、変換後の電力レベル信号がレベル補正部１０２に入力される。レベル補正部１０２に入力された電力レベル信号は、入力信号の状態に応じて利得生成部１１２で生成された利得（第２の利得）で補正された後に、平均化部１０３に入力される。平均化部１０３では、平均化開始タイミング信号入力端子１１３から入力されてくるチャネルＡのスロット同期信号に同期して平均化処理が開始され、平均化時間設定入力端子１０８から入力されてくる電力平均化時間Ｔｓについての電力レベルの区間平均値が算出され、この区間平均値が減算部１８５に入力される。減算部１８５では、この区間平均値と基準レベル入力端子１８８から入力されてくる基準レベルとが比較され、基準レベルからこの区間平均値を減算した差がローパスフィルタ１８６を介して加算部１８７に入力される。加算部１８７では、減算部１８５での減算による差が基準レベルに加算され、その加算値すなわち利得制御値が利得可変部１８２に提供される。利得可変部１８２では、加算部１８７から出力される利得制御値に応じて、信号入力端子１８１からの入力信号の増幅に使用される利得（第１の利得）がフィードバック調節される。このように第１の利得が利得可変部１８２でフィードバック調節されることにより、信号出力端子１８４に出力される信号の電力レベルが所望の値に精度良く制御される。
【００３３】
利得生成部１１２では、平均化開始タイミング信号入力端子１１３から入力されてくる入力信号に符号分割多重された各チャネルのスロット同期信号と、電力情報入力端子１１４から入力されてくる各チャネルの電力レベルの情報と、に基づいて、レベル補正部１０２で使用される利得（第２の利得）が生成される。第２の利得の生成手順について、例えば図２に示すチャネルＡのスロット同期信号に同期して電力レベルの平均化処理を開始する場合には、利得生成部１１２は、ラインＬ２１０の総信号の所望電力レベルを用いて下記（式１）で示すようにして第２の利得を生成する。
(式１)
ci,j,k=1 [倍]  (平均化処理開始時、所望総信号電力レベル = pall,i,j,k)
ci,j+1,k= pall,i,j,k / pall,i,j+1,k [倍]   (所望総信号電力レベル = pall,i,j+1,k)
ci,j+1,k+1= pall,i,j,k / pall,i,j+1,k+1 [倍]   (所望総信号電力レベル = pall,i,j+1,k+1)
つまり、レベル補正部１０２から平均化部１０３に入力される電力レベル信号の電力レベルを示すラインＬ２１３が平均化処理開始時の電力測定結果(qall,i,j,k)になるように第２の利得を生成する。実際には、所望総信号電力レベルを示すラインＬ２１０と測定された総信号電力レベルを示すＬ２１１との間には誤差が存在するが、誤差が小さい条件ではラインＬ２１３の電力レベルri,j,k、ri,j+1,k、ri,j+1,k+1は平均処理開始時の電力測定結果であるqall,i,j,kとほぼ同一になる(式２)。
(式２)
ri,j,k= qall,i,j,k
ri,j+1,k= qall,i,j+1,k ×ci,j+1,k = qall,i,j+1,k ×pall,i,j,k/ pall,i,j+1,k ≒ qall,i,j,k 
(∵ pall,i,j,k≒qall,i,j,k、pall,i,j+1,k≒qall,i,j+1,k)
ri,j+1,k+1= qall,i,j+1,k+1×ci,j+1,k+1 = qall,i,j+1,k+1×pall,i,j,k/ pall,i,j+1,k+1 ≒ qall,i,j,k 
(∵ pall,i,j,k≒qall,i,j,k、pall,i,j+1,k+1≒qall,i,j+1,k+1)
このように、平均化処理開始毎に電力レベル信号に補正を施すことにより、電力平均化時間ＴＳ内の電力測定結果は、総送信電力レベルの変化の影響を受け難くなる。なお、第２の利得の生成に用いる総送信電力レベルは、電力情報入力端子１１４から入力されてくる各チャネルの電力情報より算出される。
【００３４】
本実施の形態では、電力レベルの遷移する周期が同一でそのタイミングが互いに異なる３つのチャネルについて説明したが、本発明は、各チャネルの電力レベルの遷移周期が互いに異なる４つ以上のチャネルについても同様に適用できる。
【００３５】
従って、本実施の形態に係る電力制御装置１００によれば、電力平均化時間ＴＳ中に総信号電力レベル（ラインＬ２１１）が遷移しても、レベル補正部１０２によって検波器１０１での検波後の電力レベルが適宜補正されるため、入力信号の増幅において、総信号電力レベルの遷移の影響を受け難くなり、より正確で緻密な電力制御が可能となる。
【００３６】
（実施の形態２）
図３は、本発明の実施の形態２に係る電力制御装置３００の構成を示すブロック図である。電力制御装置３００は、実施の形態１に係る電力制御装置１００において、減算部１８５をレベル補正部１０２と平均化部１０３との間に配置転換したものである。従って、電力制御装置３００の構成要素は全て、電力制御装置１００の構成要素と同様の機能を発揮することから、このような同様の機能を発揮する構成要素については、重複を避けるため、その説明を省略する。
【００３７】
電力制御装置３００では、レベル補正部１０２からの補正後の電力レベル信号と基準レベル入力端子１８８からの基準レベルとが比較され、基準レベルから電力レベル信号を減算した差に対して平均化部１０３において平均化処理が施されることになる。従って、本実施の形態に係る電力制御装置３００では、電力平均化時間ＴＳ内に入力信号の総信号電力レベルが変化しても、基準レベルと検波後の電力レベルとの差を平均化することになるため、総信号電力レベルが遷移してもその影響を受けることなく、より正確な電力制御を行うことができる。
【産業上の利用可能性】
【００３８】
本発明に係る電力制御装置、無線通信装置及び電力制御方法は、電力レベルの遷移する周期又はタイミングが互いに異なる複数のチャネルを多重した信号の総信号電力レベルを正確に測定することができるという効果を有し、無線通信システムで使用される基地局や移動局等として有用である。
【図面の簡単な説明】
【００３９】
【図１】本発明の実施の形態１に係る電力制御装置の構成を示すブロック図
【図２】本発明の実施の形態１に係る電力制御装置の動作を説明するタイミング図
【図３】本発明の実施の形態２に係る電力制御装置の構成を示すブロック図
【図４】従来の電力測定装置の構成を示すブロック図
【図５】従来の電力測定装置の動作を説明するタイミング図
【図６】従来の電力測定装置の動作を説明するタイミング図
【符号の説明】
【００４０】
１００、３００  電力制御装置
１０１  検波器
１０２  レベル補正部
１０３  平均化部
１０８  平均化時間設定入力端子
１１２  利得生成部
１１３  平均化開始タイミング信号入力端子
１１４  電力情報入力端子
１８１  信号入力端子
１８２  利得可変部
１８３  分配器
１８４  信号出力端子
１８５  減算部
１８６  ローパスフィルタ
１８７  加算部
１８８  基準レベル入力端子
【図１】
2005130306.tif 000003
【図２】
2005130306.tif 000004
【図３】
2005130306.tif 000005
【図４】
2005130306.tif 000006
【図５】
2005130306.tif 000007
【図６】
2005130306.tif 000008